(57)【要約】【課題】ハイブリッドシステム構成ユニットの作動状態を、それぞれの入出力は勿論のこと、これらが他のユニットに対してどの程度の割合なのかをも目視観察可能にする。【解決手段】表示器1の表示画面1a上に、全ての駆動力が集まる駆動車輪（TOTAL）、エンジン（ENGINE）、モータ（MOTOR）、およびモータ駆動バッテリ（BATT）を表示する。この時、駆動車輪（TOTAL）、エンジン（ENGINE）、モータ（MOTOR）、およびバッテリ（BATT）を、運転者から見て表示画面1aの上下方向または左右方向（図面では上下方向）中程におけるユニット表示領域1b内に、左右方向へ順次並べて表示する。そして、駆動車輪（TOTAL）、エンジン（ENGINE）、モータ（MOTOR）、およびバッテリ（BATT）の表示位置を挟んで、表示画面1aの上下方向に、対応するシステム構成ユニットの作動状態としての動力（POWER）をバーグラフなどで定量表示する。【選択図】図１
2006290182.tif 000002
【特許請求の範囲】
【請求項１】
ハイブリッド車両の運転状態に関与するシステム構成ユニットの作動状態を表示器上に表示するハイブリッド車両の運転状態表示装置において、
前記表示器上に前記システム構成ユニットの作動状態を定量表示するよう構成したことを特徴とするハイブリッド車両の運転状態表示装置。
【請求項２】
請求項１に記載のハイブリッド車両の運転状態表示装置において、
前記システム構成ユニットを前記表示器上の上下方向または左右方向中程に表示し、
該システム構成ユニットの表示位置を挟んで、前記上下方向または左右方向一方側にシステム構成ユニットからの出力量を定量表示し、他方側にシステム構成ユニットへの入力量を定量表示するよう構成したことを特徴とするハイブリッド車両の運転状態表示装置。
【請求項３】
請求項１また２に記載のハイブリッド車両の運転状態表示装置において、
前記表示器上に表示するシステム構成ユニットを運転者が任意に選択可能にしたことを特徴とするハイブリッド車両の運転状態表示装置。
【請求項４】
請求項１〜３のいずれか1項に記載のハイブリッド車両の運転状態表示装置において、
前記表示器上におけるシステム構成ユニットの表示配列を運転者が任意に決定可能にしたことを特徴とするハイブリッド車両の運転状態表示装置。
【請求項５】
請求項１〜４のいずれか1項に記載のハイブリッド車両の運転状態表示装置において、
前記表示器上に定量表示するシステム構成ユニットの表示情報として、該システム構成ユニットの作動状態を表す任意の表示情報を運転者が自由に決定し得るよう構成したことを特徴とするハイブリッド車両の運転状態表示装置。
【請求項６】
請求項５に記載のハイブリッド車両の運転状態表示装置において、
前記表示器上に定量表示するシステム構成ユニットの表示情報を、システム構成ユニットごとに個々に決定し得るよう構成したことを特徴とするハイブリッド車両の運転状態表示装置。
【請求項７】
請求項１〜６のいずれか1項に記載のハイブリッド車両の運転状態表示装置において、
前記表示器上に表示するシステム構成ユニットとして、該システム構成ユニットの作動状態を決定する運転者の操作ユニットをも含ませ、該操作ユニットの操作量と共に前記表示器上に表示するよう構成したことを特徴とするハイブリッド車両の運転状態表示装置。
【発明の詳細な説明】
【技術分野】
【０００１】
本発明は、ハイブリッド車両の運転状態に関与するシステム構成ユニットの作動状態を表示器上に表示するハイブリッド車両の運転状態表示装置に関するものである。
【背景技術】
【０００２】
ハイブリッド車両に搭載するハイブリッド駆動装置としては従来、様々な型式のものが提案されているが、いずれにしてもハイブリッド駆動装置は、
エンジンのほかにモータ/ジェネレータを具え、エンジンからの動力のみにより、若しくは、エンジンおよびモータからの動力により車両を走行させるエンジン走行モードと、
モータからの動力のみにより車両を走行させる電気走行モード（EV走行モード）とを有し、
エンジンをできるだけ最適燃費となるような態様で運転させている間、余剰となったエンジン動力をモータ/ジェネレータによる発電で電気エネルギーに変換して蓄電し、以後におけるモータ/ジェネレータのモータ駆動に供することで、燃費効率を高めることを主旨とするものである。
【０００３】
ところで、かかるハイブリッド駆動装置を搭載したハイブリッド車両の運転者は、ハイブリッド駆動装置が複雑なシステムであることとも相まって、ハイブリッド車両の運転状態に関与するシステム構成ユニット、つまり、エンジンや、モータ/ジェネレータや、バッテリの作動状態とか、車両全体の駆動力発生状況とか、場合によっては、運転者が操作するアクセルペダル操作量や、ブレーキペダル踏み込み量を、目視観察し得るのを好む傾向にある。
【０００４】
そこで従来、例えば特許文献1や、特許文献2に記載されているごとく、
システム構成ユニットのうち何れのユニットが作動しているのかをディスプレー上に表示したり、作動しているユニット間でのエネルギーの移動方向を同じディスプレー上に表示するようにした技術が提案されている。
【特許文献１】特許第３０９２４９４号明細書
【特許文献２】特許第２９２１６６１号明細書
【発明の開示】
【発明が解決しようとする課題】
【０００５】
しかし、かように作動中のユニットと、エネルギーの移動方向をディスプレー上に表示するだけでは、運転者への情報量が限られてしまい、
ユニットの入出力レベルとか、これらが個々の最大値に対して、或いは他のユニットに対してどの程度の割合なのかとかを運転者に伝えることができず、運転者がハイブリッド車両の運転状態を十分に把握することができないのが実情である。
【０００６】
本発明は、ハイブリッド車両のシステム構成ユニットの入出力レベルを定量的に表示することにより、これら入出力レベル自身は勿論のこと、これらが個々の最大値に対して、或いは他のユニットに対してどの程度の割合なのかとかを運転者が感覚的に目視観察し得るようになし、もって、運転者がハイブリッド車両の運転状態を十分に把握することができるようにした、ハイブリッド車両の運転状態表示装置を提案することを目的とする。
【課題を解決するための手段】
【０００７】
この目的のため、本発明のハイブリッド車両の運転状態表示装置は、請求項１に記載のごとく、
ハイブリッド車両の運転状態に関与するシステム構成ユニットの作動状態を表示器上に定量表示するよう構成した点に特徴づけられる。
【発明の効果】
【０００８】
かかる本発明によるハイブリッド車両の運転状態表示装置によれば、システム構成ユニットの作動状態を表示器上に定量表示するため、
システム構成ユニットの入出力レベルを含む作動状態は勿論のこと、これらが個々の最大値に対してどの程度の割合なのかをも運転者が感覚的に目視観察し得ると共に、
定量表示されたシステム構成ユニットの作動状態間の比較により、個々のシステム構成ユニットに係わる作動状態が他のシステム構成ユニットに対してどの程度の割合なのかをも運転者が感覚的に目視観察し得て、
運転者がハイブリッド車両の運転状態を十分に把握することができる。
【発明を実施するための最良の形態】
【０００９】
以下、本発明の実施の形態を、図面に示す実施例に基づき詳細に説明する。
図1は、本発明の一実施例になるハイブリッド車両の運転状態表示装置を示し、
この図において、1は、光電管式ディスプレーや、液晶ディスプレーや、発光ダイオード式ディスプレーを可とする、任意の表示器である。
【００１０】
本実施例においては、この表示器1の表示画面1a上に、ハイブリッド車両の運転状態に関与するシステム構成ユニットとして、全ての駆動力が集まる駆動車輪（TOTAL）、エンジン（ENGINE）、モータ（MOTOR）、およびモータ駆動バッテリ（BATT）を表示する。
この表示に当たっては、これら駆動車輪（TOTAL）、エンジン（ENGINE）、モータ（MOTOR）、およびバッテリ（BATT）を、運転者から見て表示画面1aの上下方向または左右方向（図面では上下方向）中程におけるユニット表示領域1b内に、左右方向へ順次並べて表示する。
そして表示配列順は、運転者から見て左より、駆動車輪（TOTAL）、エンジン（ENGINE）、モータ（MOTOR）、およびバッテリ（BATT）の順番とする。
【００１１】
そして、駆動車輪（TOTAL）、エンジン（ENGINE）、モータ（MOTOR）、およびバッテリ（BATT）の表示位置を挟んで、表示画面1aの上下方向に、対応するシステム構成ユニットの作動状態としての動力（POWER）をバーグラフなどで定量表示する。
この際、駆動車輪（TOTAL）、エンジン（ENGINE）、モータ（MOTOR）、およびバッテリ（BATT）の表示位置を挟んで、表示画面1aの上下方向一方側（図面では上側）に、対応するシステム構成ユニットから出力される動力（POWER）を定量表示し（最大値にMAX表示を付す）、表示画面1aの上下方向他方側（図面では下側）に、対応するシステム構成ユニットへ入力される動力（POWER）を定量表示する。
【００１２】
図1のバーグラフは、駆動車輪（TOTAL）、エンジン（ENGINE）、モータ（MOTOR）、およびバッテリ（BATT）の全てが動力（POWER）を出力している状態を定量表示しており、
バッテリ（BATT）からの電力（POWER）でモータ（MOTOR）が駆動されて出力した動力（POWER）と、エンジン（ENGINE）からの動力（POWER）との合計動力でハイブリッド車両が走行されていることを示す。
【００１３】
図2のバーグラフは、駆動車輪（TOTAL）およびエンジン（ENGINE）が動力（POWER）を出力し、モータ（MOTOR）が入力量も出力量もない停止状態であり、バッテリ（BATT）が余剰エンジン動力による発電電力を充電されている状態を定量表示しており、
バッテリ（BATT）を充電しながら、エンジン（ENGINE）からの動力（POWER）によりハイブリッド車両が走行されていることを示す。
【００１４】
図3のバーグラフは、ハイブリッド車両が降坂路走行や減速のため駆動車輪（TOTAL）が路面から逆駆動されて動力（POWER）を入力されており、エンジン（ENGINE）が入力量も出力量もない停止状態であり、モータ（MOTOR）が駆動車輪（TOTAL）への逆駆動力を得て動力（POWER）を入力されることにより発電を行い、バッテリ（BATT）がモータ（MOTOR）からの発電電力を充電されている状態を定量表示しており、
ハイブリッド車両が降坂路走行や減速走行のため、バッテリ（BATT）を回生充電している走行状態であることを示す。
【００１５】
上記した本実施例になるハイブリッド車両の運転状態表示装置によれば、
システム構成ユニットである駆動車輪（TOTAL）、エンジン（ENGINE）、モータ（MOTOR）、およびバッテリ（BATT）の作動状態（POWER）を表示器1上にバーグラフで定量表示するため、
システム構成ユニットである駆動車輪（TOTAL）、エンジン（ENGINE）、モータ（MOTOR）、およびバッテリ（BATT）の入出力レベルを含む作動状態は勿論のこと、これらが個々の最大値(MAX)に対してどの程度の割合なのかをも運転者が感覚的に目視観察し得るし、また、  定量表示されたシステム構成ユニットの作動状態間の比較により、個々のシステム構成ユニットに係わる作動状態が他のシステム構成ユニットに対してどの程度の割合なのかをも運転者が感覚的に目視観察し得て、運転者がハイブリッド車両の運転状態を確実に把握することができる。
【００１６】
ところで、駆動車輪（TOTAL）、エンジン（ENGINE）、モータ（MOTOR）、およびバッテリ（BATT）等の表示ユニットや、それらの表示順序や、表示ユニットに係わる表示情報（図1〜図3ではPOWER）は、運転者が任意に選択し得るようにするのが好ましい。
図4は、表示ユニットおよびそれらの表示順序を選択する場合における、表示器1の表示画面1aを示す。
【００１７】
図4に示す選択画面は、運転者が手元のジョイスティックコントローラなどを操作して呼び出すものとし、この選択画面上におけるユニット表示順（1：）、（2：）、（3：）、（4：）、（5：）ごとに、表示させたいシステム構成ユニット（INDICATE  UNIT）として、図示例のように駆動車輪（TOTAL）、モータ（MOTOR）、およびエンジン（ENGINE）を選択し、これら駆動車輪（TOTAL）、モータ（MOTOR）、およびエンジン（ENGINE）をその順に表示するよう決定する。
【００１８】
なお図4の選択画面は、表示順（1：）、（2：）、（3：）に順次、駆動車輪（TOTAL）、モータ（MOTOR）、およびエンジン（ENGINE）を割り当て、表示順（4：）、（5：）にはシステム構成ユニットの割り当てを行わなかった場合の画面を示す。
また図4の選択画面は、駆動車輪（TOTAL）、モータ（MOTOR）、およびエンジン（ENGINE）に係わる表示情報（INDICATE  ITEM）として、図1〜図3におけると同様に動力（POWER）を割り当てた場合の画面を示す。
【００１９】
図4のように表示ユニットと、その表示順と、表示情報とを決定した場合、表示器1の表示画面1aにおける表示状況は図5に示すごとくになり、
ユニット表示領域1b内には運転者から見て左側より順次、駆動車輪（TOTAL）、モータ（MOTOR）、およびエンジン（ENGINE）が表示され、それぞれの動力（POWER）が図示例のごとくにバーグラフで定量表示される。
【００２０】
かように、表示するシステム構成ユニットを運転者が任意に選択し得るようにすると共に、これらユニットの表示順を運転者が任意に決定し得るようにする場合、
運転者が作動状態を知りたいと思うユニットの作動状態のみを、そして、作動状態を知りたいと思う希望の強いユニットの順に作動状態を表示させることができ、運転者が希望する情報を一層確実に把握することができる。
【００２１】
図6は、表示するシステム構成ユニットを選択したり、その表示順を決定するほかに、表示ユニットの表示情報（図1〜図3、および図5ではPOWER）を運転者が選択する場合における、表示器1の表示画面1aを示す。
運転者が手元のジョイスティックコントローラなどを操作して、図6の選択画面を呼び出し、この選択画面上におけるユニット表示順（1：）、（2：）、（3：）、（4：）、（5：）ごとに、表示させたいシステム構成ユニット（INDICATE  UNIT）として、図示例のように駆動車輪（TOTAL）、モータ（MOTOR）、およびエンジン（ENGINE）を選択し、これら駆動車輪（TOTAL）、モータ（MOTOR）、およびエンジン（ENGINE）をその順に表示するよう決定すると共に、それらの表示情報として前記の動力（POWER）に代えトルク（TORQUE）を選択する。
【００２２】
なお図6の選択画面は、表示順（1：）、（2：）、（3：）に順次、駆動車輪（TOTAL）、モータ（MOTOR）、およびエンジン（ENGINE）を割り当て、表示順（4：）、（5：）にはシステム構成ユニットの割り当てを行わなかった場合の画面を示す。
【００２３】
図6のように表示ユニットと、その表示順と、表示情報とを決定した場合、表示器1の表示画面1aにおける表示状況は図7に示すごとくになり、
ユニット表示領域1b内には運転者から見て左側より順次、駆動車輪（TOTAL）、モータ（MOTOR）、およびエンジン（ENGINE）が表示され、それぞれのトルク（TORQUE）が図示例のごとくにバーグラフで定量表示される。
【００２４】
かように、表示するシステム構成ユニットを運転者が任意に選択し得るようにすると共に、これらユニットの表示順を運転者が任意に決定し得るようにするのに加え、表示ユニットの表示情報をも運転者が任意に決定し得るようにした場合、
運転者が作動状態を知りたいと思うユニットの作動状態のみを、そして、作動状態を知りたいと思う希望の強いユニットの順に作動状態を表示させることができ、更に、ユニットの作動状態として希望する表示情報を定量表示することができ、運転者が希望する情報を一層確実に把握することができる。
【００２５】
なお上記ではいずれの場合も、表示ユニットの作動状態として全てのユニットにつき同じ作動状態、つまり、動力（POWER）や、トルク（TORQUE）を定量表示することとしたが、表示ユニットごとに異なる作動状態を定量表示させるようにすることも可能である。
【００２６】
図8は、表示するシステム構成ユニットを選択したり、その表示順を決定するほかに、表示ユニットの表示情報を運転者がユニットごとに異ならせて選択する場合における、表示器1の表示画面1aを示す。
運転者が手元のジョイスティックコントローラなどを操作して、図8の選択画面を呼び出し、この選択画面上におけるユニット表示順（1：）、（2：）、（3：）、（4：）、（5：）ごとに、表示させたいシステム構成ユニット（INDICATE  UNIT）として、図示例のように駆動車輪（TOTAL）、エンジン（ENGINE）、モータ（MOTOR）、およびバッテリ（BATT）を選択し、これら駆動車輪（TOTAL）、エンジン（ENGINE）、モータ（MOTOR）、およびバッテリ（BATT）をその順に表示するよう決定すると共に、
駆動車輪（TOTAL）の表示情報としてはその回転速度から判る車速（SPEED）を選択し、エンジン（ENGINE）の表示情報としてはその回転速度（REVOLUTION）を選択し、モータ（MOTOR）の表示情報としてはその温度（TEMPERATURE）を選択し、バッテリ（BATT）の表示情報としてはバッテリ蓄電状態（SOC）を選択する。
【００２７】
なお図8の選択画面は、表示順（1：）、（2：）、（3：）、（4：）に順次、駆動車輪（TOTAL）、エンジン（ENGINE）、モータ（MOTOR）、およびバッテリ（BATT）を割り当て、表示順（5：）にはシステム構成ユニットの割り当てを行わなかった場合の画面を示す。
【００２８】
図8のように表示ユニットと、その表示順と、表示情報とを決定した場合、表示器1の表示画面1aにおける表示状況は図9に示すごとくになり、
ユニット表示領域1b内には運転者から見て左側より順次、駆動車輪（TOTAL）、エンジン（ENGINE）、モータ（MOTOR）、およびバッテリ（BATT）が表示され、
駆動車輪（TOTAL）に係わる車速（SPEED）、エンジン（ENGINE）に係わる回転速度（REVOLUTION）、モータ（MOTOR）に係わる温度（TEMPERATURE）、およびバッテリ（BATT）に係わる蓄電状態（SOC）がそれぞれ図示例のごとくにバーグラフで定量表示される。
【００２９】
かように、表示するシステム構成ユニットを運転者が任意に選択し得るようにすると共に、これらユニットの表示順を運転者が任意に決定し得るようにするのに加え、表示ユニットごとに表示情報を運転者が任意に決定し得るようにした場合、
運転者が作動状態を知りたいと思うユニットの作動状態のみを、そして、作動状態を知りたいと思う希望の強いユニットの順に作動状態を表示させることができ、更に、ユニットの作動状態として個々に希望する表示情報を定量表示することができ、運転者が希望する情報を一層確実に把握することができる。
【００３０】
なお上記ではいずれの場合も、システム構成ユニット自身を表示の対象としたが、これらシステム構成ユニットの作動状態を決定する運転者の操作ユニットも表示させることができるようにするのがよい。
【００３１】
図10は、表示するシステム構成ユニットとして、駆動車輪（TOTAL）、エンジン（ENGINE）、およびモータ（MOTOR）のほかに、運転者が操作するアクセルペダル（ACCEL）およびブレーキペダル（BRAKE）をも選択したり、これらシステム構成ユニットの表示順を決定するほかに、当該表示ユニットの表示情報を運転者がユニットごとに異ならせて選択する場合における、表示器1の表示画面1aを示す。
運転者が手元のジョイスティックコントローラなどを操作して、図10の選択画面を呼び出し、この選択画面上におけるユニット表示順（1：）、（2：）、（3：）、（4：）、（5：）ごとに、表示させたいシステム構成ユニット（INDICATE  UNIT）として、図示例のように駆動車輪（TOTAL）、エンジン（ENGINE）、モータ（MOTOR）、アクセルペダル（ACCEL）、およびブレーキペダル（BRAKE）を選択し、これら駆動車輪（TOTAL）、エンジン（ENGINE）、モータ（MOTOR）、アクセルペダル（ACCEL）、およびブレーキペダル（BRAKE）をその順に表示するよう決定すると共に、
駆動車輪（TOTAL）の表示情報としてはその回転速度から判る車速（SPEED）を選択し、エンジン（ENGINE）の表示情報としてはその回転速度（REVOLUTION）を選択し、モータ（MOTOR）の表示情報としてはその温度（TEMPERATURE）を選択し、アクセルペダル（ACCEL）の表示情報としてはその踏み込み量（STROKE）を選択し、ブレーキペダル（BRAKE）の表示情報としてはその踏み込み量（STROKE）を選択する。
【００３２】
図10のように表示ユニットと、その表示順と、表示情報とを決定した場合、表示器1の表示画面1aにおける表示状況は図11に示すごとくになり、
ユニット表示領域1b内には運転者から見て左側より順次、駆動車輪（TOTAL）、エンジン（ENGINE）、モータ（MOTOR）、アクセルペダル（ACCEL）、およびブレーキペダル（BRAKE）が表示され、
駆動車輪（TOTAL）に係わる車速（SPEED）、エンジン（ENGINE）に係わる回転速度（REVOLUTION）、モータ（MOTOR）に係わる温度（TEMPERATURE）、アクセルペダル（ACCEL）に係わる踏み込み量（STROKE）、およびブレーキペダル（BRAKE）に係わる踏み込み量（STROKE）がそれぞれ図示例のごとくにバーグラフで定量表示される。
但し図11は、アクセルペダル（ACCEL）の踏み込み中で、アクセルペダル（ACCEL）の踏み込み量（STROKE）が0の状態が示されている。
【００３３】
かように、表示するシステム構成ユニットに、運転者が操作するアクセルペダル（ACCEL）およびブレーキペダル（BRAKE）を含め、それらの踏み込み量（STROKE）を定量表示する場合、
自分が操作しているアクセルペダル踏み込み量や、ブレーキペダル踏み込み量を、他のシステム構成ユニットの作動状態と比較しながら目視観察することができ、運転者が希望する情報を更に確実に把握することができる。
【００３４】
なお図示例のように、システム構成ユニットの作動状態を定量表示するのにバーグラフで表示させる場合、システム構成ユニットごとに作動状態が個々の最大値に対してどの程度の割合なのかを運転者が感覚的に知ることができる。
また図示例のように、システム構成ユニットの作動状態を定量表示するのにバーグラフを相互に並べて表示させる場合、目視観察による相互間の比較が容易であって、システム構成ユニットの作動状態が他のユニットに対してどの程度の割合なのかを運転者が感覚的に知ることができて大いに有利である。
【００３５】
更に、システム構成ユニットの配列は、図示のごとく表示画面1aの上下方向中程に横方向へ配列するものに限られず、表示画面1aの左右方向中程に上下方向へ配列してもよいことは言うまでもない。
但しこの場合、システム構成ユニットの作動状態を定量表示するバーグラフは、システム構成ユニットの表示位置を挟んで左右方向両側に延在するものになること勿論である。
【図面の簡単な説明】
【００３６】
【図１】本発明の一実施例になるハイブリッド車両の運転状態表示装置を、車両がエンジン動力とモータ動力とにより走行されている時の状態で示す正面図である。
【図２】同実施例になるハイブリッド車両の運転状態表示装置を、車両がエンジン動力のみにより走行され、バッテリが充電されている時の状態で示す正面図である。
【図３】同実施例になるハイブリッド車両の運転状態表示装置を、車両が降坂路走行や減速走行を行っているため、バッテリが回生充電されている時の状態で示す正面図である。
【図４】表示するシステム構成ユニットを選択したり、選択したユニットの表示順を決定する時に呼び出す選択画面を示す、運転状態表示装置の正面図である。
【図５】図4の選択画面に示すように表示ユニットを選択すると共にこれらユニットの表示順を決定した時における運転状態表示装置の正面図である。
【図６】表示するシステム構成ユニットを選択したり、選択したユニットの表示順を決定するほかに、選択ユニットの表示情報を変更する時に呼び出す選択画面を示す、運転状態表示装置の正面図である。
【図７】図6の選択画面に示すように表示ユニットを選択すると共にこれらユニットの表示順を決定し、且つ、選択ユニットの表示情報を変更した時における運転状態表示装置の正面図である。
【図８】表示するシステム構成ユニットを選択したり、選択したユニットの表示順を決定するほかに、選択ユニットの表示情報を個々に決定する時に呼び出す選択画面を示す、運転状態表示装置の正面図である。
【図９】図8の選択画面に示すように表示ユニットを選択すると共にこれらユニットの表示順を決定し、且つ、選択ユニットの表示情報を決定した時における運転状態表示装置の正面図である。
【図１０】表示するシステム構成ユニットとして、運転者が操作するアクセルペダルや、ブレーキペダルを含ませ、これら選択ユニットの表示情報を個々に決定する時に呼び出す選択画面を示す、運転状態表示装置の正面図である。
【図１１】図10の選択画面に示すように表示ユニットを選択すると共にこれらユニットの表示情報を個々に決定した時における運転状態表示装置の正面図である。
【符号の説明】
【００３７】
1  表示器
1a  表示画面
1b  システム構成ユニット表示領域
【図１】
2006290182.tif 000003
【図２】
2006290182.tif 000004
【図３】
2006290182.tif 000005
【図４】
2006290182.tif 000006
【図５】
2006290182.tif 000007
【図６】
2006290182.tif 000008
【図７】
2006290182.tif 000009
【図８】
2006290182.tif 000010
【図９】
2006290182.tif 000011
【図１０】
2006290182.tif 000012
【図１１】
2006290182.tif 000013